(57)【要約】      （修正有）【課題】リード線の間において誤放電が発生する点にある。【解決手段】３本のリード線、すなわち、コモンリード線８２と、サブリード線８３と、メインリード線８４とが相互に離れた状態で配線されている。特に、コモンリード線８２とサブリード線８３とは、大きく離れている。このために、この実施例にかかる放電電球Ｂ１は、コモンリード線８２とサブリード線８３とが近接している従来の放電電球Ｂと比較して、３本のリード線、特に、コモンリード線８２とサブリード線８３との間において誤放電が発生するような場合を極力少なく減らすことができる。【選択図】        図１
2005222741.tif 000002
【特許請求の範囲】
【請求項１】
放電空間中に複数個の放電アークを発生させることができる放電電球において、
前記放電空間を区画する発光部と、
前記放電空間中に突設されたコモン電極、サブ電極、メイン電極と、
前記コモン電極に接続されているコモンリード線、前記サブ電極に接続されているサブリード線、前記メイン電極に接続されているメインリード線と、
を備え、
前記コモンリード線、前記サブリード線、前記メインリード線は、相互に離れた状態で配線されている、
ことを特徴とする放電電球。
【請求項２】
前記コモンリード線、前記サブリード線、前記メインリード線は、前記発光部の光学的有効範囲以外に配線されている、
ことを特徴とする請求項１に記載の放電電球。
【発明の詳細な説明】
【技術分野】
【０００１】
この発明は、たとえば、自動車用のヘッドランプなどの光源として使用される放電電球であって、放電空間中に複数個の放電アークを発生させることができる放電電球、いわゆる、ダブルアークの放電電球に関するものである。
【背景技術】
【０００２】
この種のダブルアークの放電電球は、従来からある（たとえば、特許文献１）。以下、従来の放電電球について図４および図５を参照して説明する。従来の放電電球Ｂは、一般に、ガラス管１と、３つの電極、たとえば、コモン電極２、サブ電極３、メイン電極４と、３本のリード線、たとえば、コモンリード線８２、前記サブリード線８３、前記メインリード線８４と、絶縁性の口金９と、を備える。
【０００３】
前記ガラス管１は、中央部のほぼ回転楕円形状の発光部５と、この発光部５のほぼ中間部下部と両端とに一体に設けられている３個のピンチシール部６２、６３、６４とを有する。前記発光部５中には、１個の放電空間７が形成されている。なお、前記放電空間７中には、ハロゲン化金属、希ガス、水銀などの添加物（充填物）が封入されている。前記ガラス管１は、前記口金９に固定されている。
【０００４】
前記３つの電極２、３、４は、たとえば、タングステン製の丸棒（線）からなる。この３つの電極２、３、４の一端部の放電端部２０、３０、４０は、ほぼ同一の大きさをなし、前記放電空間７中にそれぞれ突出し、かつ、隙間をあけてそれぞれ対向する。また、この３つの電極２、３、４の一部２１、３１、４１は、前記ガラス管１のピンチシール部６２、６３、６４中にそれぞれ埋設されていて気密保持されている。さらに、この３つの電極２、３、４の他端部２２、３２、４２は、前記ガラス管１のピンチシール部６２、６３、６４からそれぞれ外部に引き出されている。
【０００５】
前記コモン電極２の他端部２２には、コモンリード線８２が接続されている。また、前記サブ電極３の他端部３２には、サブリード線８３が接続されている。さらに、前記メイン電極４の他端部４２は、メインリード線８４として使用されている。前記３本のリード線８２、８３、８４は、前記口金９のターミナル（図示せず)に接続されている。
【０００６】
このようにして、放電電球Ｂが構成される。口金９をヘッドランプなどのリフレクタに着脱可能に取り付け、ターミナルにコネクタを接続して、放電電球Ｂと電源とをバラストを介して接続する。
【０００７】
そして、コモンリード線８２とサブリード線８３とを介して、コモン電極２とサブ電極３とに電圧をかける。すると、コモン電極２の放電端部２０とサブ電極３の放電端部３０との間においてサブ放電アーク（図示せず）が発生して発光部５が発光する。この発光部５からの光がリフレクタの反射面で反射されてロービーム（すれ違いビーム）が得られて路面に照射される。このロービームにより、すれ違い用の配光パターンが得られる。
【０００８】
一方、コモンリード線８２とメインリード線８４とを介して、コモン電極２とメイン電極４とに電圧をかける。すると、コモン電極２の放電端部２０とコモン電極４の放電端部４０との間においてメイン放電アーク（図示せず）が発生して発光部５が発光する。この発光部５からの光がリフレクタの反射面で反射されてハイビーム（走行ビーム）が得られて路面に照射される。このハイビームにより、走行用の配光パターンが得られる。
【０００９】
ところが、前記従来の放電電球Ｂは、３本のリード線８２、８３、８４の相対配線位置関係について何ら考慮されていない。すなわち、前記従来の放電電球Ｂは、コモンリード線８２とサブリード線８３とが近接して配線されている。このために、前記従来の放電電球Ｂは、コモンリード線８２とサブリード線８３との間において誤放電が発生して、コモン電極２の放電端部２０とサブ電極３の放電端部３０との間においてサブ放電アークが発生しない場合があり得る。
【００１０】
【特許文献１】実開平３−４０７５６号公報
【発明の開示】
【発明が解決しようとする課題】
【００１１】
この発明が解決しようとする問題点は、前記の従来の放電電球において、リード線８２、８３、８４の相対配線位置関係について何ら考慮されていないので、近接するリード線の間において誤放電が発生する場合がある点にある。
【課題を解決するための手段】
【００１２】
この発明は、リード線を相互に離れた状態で配線する、ことを特徴とする。
【発明の効果】
【００１３】
この発明の放電電球は、リード線を相互に離れた状態で配線するので、リード線の間において誤放電が発生するような場合を極力少なく減らすことができる。
【発明を実施するための最良の形態】
【００１４】
以下に、この発明にかかる放電電球の実施例の１例を図１〜図３に基づいて詳細に説明する。この実施例は、自動車用のヘッドランプなどの光源として使用する例について説明する。なお、この実施例によりこの発明が限定されるものではない。すなわち、この発明にかかる放電電球は、自動車用のヘッドランプなどの光源以外の光源にも使用される。
【実施例】
【００１５】
（実施例の構成の説明）
以下、この実施例における放電電球の構成について図１〜図３を参照して説明する。図中、図４および図５と同符号は、同一のものを示す。
【００１６】
図中、符号Ｂ１は、この実施例にかかる放電電球である。この実施例にかかる放電電球Ｂ１は、３本のリード線、すなわち、コモンリード線８２と、サブリード線８３と、メインリード線８４とが相互に離れた状態で配線されている。すなわち、前記コモンリード線８２は、正面側（口金９と反対側）から見て、右側でかつ水平線Ｈ−Ｈよりも若干下に配線されている。また、前記サブリード線８３は、正面側から見て、左側でかつ水平線Ｈ−Ｈよりも若干下に配線されている。さらに、前記メインリード線８４は、正面側見て、ほぼ中心Ｏに配線されている。
【００１７】
また、この実施例にかかる放電電球Ｂ１は、３本のリード線、すなわち、コモンリード線８２と、サブリード線８３と、メインリード線８４とが発光部５の光学的有効範囲以外に配線されている。すなわち、前記発光部５の光学的有効範囲は、この実施例にかかる放電電球Ｂ１を自動車用のヘッドランプなどの光源として使用した場合において、すれ違い用の配光パターンおよび走行用の配光パターンを得るのに光学的設計や配光設計に適した範囲であって、水平線Ｈ−Ｈよりも上方の範囲（二点鎖線にて示す範囲）である。そして、前記コモンリード線８２および前記サブリード線８３および前記メインリード線８４は、前記水平線Ｈ−Ｈよりも下方の範囲（発光部５の光学的有効範囲以外の範囲）に位置する。
【００１８】
（実施例の作用効果の説明）
この実施例にかかる放電電球Ｂ１は、以上のごとき構成からなり、以下、その作用効果について説明する。
【００１９】
まず、コモンリード線８２とサブリード線８３とを介して、コモン電極２とサブ電極３とに電圧をかける。すると、コモン電極２の放電端部２０とサブ電極３の放電端部３０との間においてサブ放電アーク（図示せず）が発生して発光部５が発光する。この発光部５からの光がリフレクタの反射面で反射されてロービーム（すれ違いビーム）が得られて路面に照射される。このロービームにより、すれ違い用の配光パターンが得られる。
【００２０】
一方、コモンリード線８２とメインリード線８４とを介して、コモン電極２とメイン電極４とに電圧をかける。すると、コモン電極２の放電端部２０とコモン電極４の放電端部４０との間においてメイン放電アーク（図示せず）が発生して発光部５が発光する。この発光部５からの光がリフレクタの反射面で反射されてハイビーム（走行ビーム）が得られて路面に照射される。このハイビームにより、走行用の配光パターンが得られる。
【００２１】
そして、この実施例にかかる放電電球Ｂ１は、３本のリード線、すなわち、コモンリード線８２と、サブリード線８３と、メインリード線８４とが相互に離れた状態で配線されている。特に、コモンリード線８２とサブリード線８３とは、大きく離れている。このために、この実施例にかかる放電電球Ｂ１は、コモンリード線８２とサブリード線８３とが近接している従来の放電電球Ｂと比較して、３本のリード線、特に、コモンリード線８２とサブリード線８３との間において誤放電が発生するような場合を極力少なく減らすことができる。
【００２２】
また、この実施例にかかる放電電球Ｂ１は、３本のリード線、すなわち、コモンリード線８２と、サブリード線８３と、メインリード線８４とが発光部５の光学的有効範囲以外に配線されている。特に、コモンリード線８２とサブリード線８３とは、発光部５の光学的有効範囲以外、すなわち、水平線Ｈ−Ｈよりも下方に位置する。このために、この実施例にかかる放電電球Ｂ１は、３本のリード線８２、８３、８４を誤放電を防止するために相互に離れた状態で配線したとしても、この３本のリード線８２、８３、８４が発光部５の光学的有効範囲以外に配線されて発光部５の光学的有効範囲を遮ることがない。これにより、この実施例にかかる放電電球Ｂ１は、発光部５の発光効率が向上され、かつ、光学的設計や配光設計が行いやすくなり、その上、光学的設計や配光設計の自由度が増大する。
【００２３】
（実施例以外の例の説明）
なお、前記の実施例においては、ガラス管１の１重ガラス管構造をなすものである。ところが、この発明においては、ガラス管１を内管とし、このガラス管１の外側に外ガラス管を設け、この外ガラス管により内管のガラス管１を保護する２重ガラス管構造となし、この２重ガラス管構造を絶縁性の口金に固定し、３本のリード線８２、８３、８４を口金のターミナルに接続するものであっても良い。
【００２４】
また、前記の実施例において、ガラス管１に透明ヒーターまたは不透明ヒーターを設けても良い。この場合においては、ヒーターの加熱作用により、放電状態を早く安定させることができ、また、放電状態安定後の発光効率を向上させることができる。
【００２５】
さらに、前記の実施例においては、３つの電極２、３、４の放電端部２０、３０、４０の大きさをほぼ同一とするものである。ところが、この発明においては、３つの電極２、３、４の放電端部２０、３０、４０の大きさを、使用頻度すなわち溶融劣化の大きさに合わせて大きくしても良い。この場合においては、３つの電極２、３、４の放電端部２０、３０、４０の溶融劣化をほぼ均一にすることができるので、放電電球Ｂ１の耐久性を向上され、放電電球Ｂ１の長寿命化が図られる。
【００２６】
さらにまた、前記の実施例においては、３つの電極２、３、４の放電端部２０、３０、４０の大きさをほぼ同一とするものである。ところが、この発明においては、３つの電極２、３、４の放電端部２０、３０、４０の先端を尖端構造としても良い。この場合においては、３つの電極２、３、４の放電端部２０、３０、４０の尖端から電子が飛び易く、放電効率が良くなるので、起動電圧を低くすることができ、その分、起動回路を始めとする電気回路への負荷を小さくすることができ、電気回路の耐久性が向上される。
【００２７】
さらにまた、前記の実施例において、３つの電極２、３、４の放電端部２０、３０、４０にヒートシンク構造を設けても良い。この場合においては、ヒートシンクの作用効果により、放電作用で電極が加熱されても、その熱が電極から効率よく放散されるので、電極の溶融劣化が防止され、放電電球の電極の耐久性が向上される。
【００２８】
さらにまた、前記の実施例においては、電極２、３、４の一部２１、３１、４１がピンチシール部６２、６３、６４中に埋設されているものである。ところが、この発明においては、電極２、３、４がピンチシール部６２、６３、６４中において金属箔を介してリード線に接続されているものであっても良い。
【００２９】
さらにまた、前記の実施例において、リード線８２、８３、８４を絶縁性たとえばセラミック製の外管により覆って、誤放電をさらに確実に防止できるように構成しても良い。
【図面の簡単な説明】
【００３０】
【図１】この発明の放電電球の実施例を示す正面図である。
【図２】図１におけるＩＩ−ＩＩ線断面図である。
【図３】図１におけるＩＩＩ矢視図である。
【図４】従来の放電電球を示す正面図である。
【図５】図４におけるＶ−Ｖ線断面図である。
【符号の説明】
【００３１】
Ｂ、Ｂ１  放電電球
１  ガラス管
２  コモン電極
３  サブ電極
４  メイン電極
２０、３０、４０  放電端部（一端部）
２１、３１、４１  埋設部（一部）
２２、３２、４２  他端部
５  発光部
６２、６３、６４  ピンチシール部
７  放電空間
８２  コモンリード線
８３  サブリード線
８４  メインリード線
９  口金
Ｈ−Ｈ  水平線
【図１】
2005222741.tif 000003
【図２】
2005222741.tif 000004
【図３】
2005222741.tif 000005
【図４】
2005222741.tif 000006
【図５】
2005222741.tif 000007